(57)【要約】      （修正有）【課題】茎収容部の挟持片を開く場合にも、苗の茎を傷めず片手で簡単に操作することのできる植物茎保持具を提供する。【解決手段】茎収容部４を形成する第１挟持片２と第２挟持片３とを開閉自在に結合する第１ヒンジ部Ｈ１を有し、一端が第１挟持片の基端部近傍に第２ヒンジ部Ｈ２により連結され他端が第２挟持片の基端部近傍に第３ヒンジ部Ｈ３により連結される挟持片連結部５を備え、第１ヒンジ部は、第１挟持片と第２挟持片が開閉するときに、第２ヒンジ部と第３ヒンジ部とを結ぶ直線を境にして、全開時は茎収容部側に、全閉時は挟持片連結部側に移動するように形成され、第１挟持片および第２挟持片の外側に、第２ヒンジ部および第３ヒンジ部をそれぞれ支点として第１挟持片および第２挟持片を開くための開放摘み７，８を連設する。挟持片連結部に、土中に突き刺す支柱部を一体的に設けてもよい。【選択図】図１
0003190661.tif 000002
【実用新案登録請求の範囲】
【請求項１】
その間で植物の茎および支柱を保持する茎収容部４を形成する第１挟持片２および第２挟持片３と、
前記第１挟持片２と第２挟持片３とを基端部において開閉自在に結合する第１ヒンジ部Ｈ１と、
前記第１ヒンジ部Ｈ１よりも外側に位置し、一端が前記第１挟持片２の基端部近傍に第２ヒンジ部Ｈ２により連結され他端が前記第２挟持片３の基端部近傍に第３ヒンジ部Ｈ３により連結される挟持片連結部５とを備え、
前記第１ヒンジ部Ｈ１は、前記第１挟持片２と第２挟持片３が当該第１ヒンジ部Ｈ１を支点として開閉するときに、前記第２ヒンジ部Ｈ２と第３ヒンジ部Ｈ３とを結ぶ直線Ｌを境にして、全開時は前記茎収容部４側に、全閉時は前記挟持片連結部５側に移動するように形成されており、
前記第１挟持片２および第２挟持片３の外側に、前記第２ヒンジ部Ｈ２および第３ヒンジ部Ｈ３をそれぞれ支点として前記第１挟持片２および第２挟持片３を開くための開放摘み７，８を連設したことを特徴とする植物茎保持具。
【請求項２】
前記第１挟持片２と第２挟持片３の先端部には、全閉時に前記第１挟持片２と第２挟持片３の先端部の係合部２ａの外側を覆う所定長さの張り出し部２ｂが形成されている請求項１記載の植物茎保持具。
【請求項３】
全体が弾性を有する耐候性の熱可塑性合成樹脂で一体成形されている請求項１または２に記載の植物茎保持具。
【請求項４】
前記挟持片連結部５に、土中に突き刺す支柱部６の上部を連設した請求項１から３のいずれかに記載の植物茎保持具。
【考案の詳細な説明】
【技術分野】
【０００１】
本考案は、トマト、ナス、ピーマン等の苗木を生産する際に、灌水や風雨、徒長（肥料の過多や日照不足が原因で、植物の茎、蔓が伸び過ぎること）などで苗木が倒れることを防ぐために、支柱と苗木を留めたり、フェンスやネット等に植物の茎や蔓を誘引したりする保持具に関する。
【背景技術】
【０００２】
トマト、ナス、ピーマン等の幼苗に灌水すると、本葉に掛かった水の重量に耐えられずに幼苗が倒れ、そのまま生長すると曲がった苗木となり、良質な苗木とはならない。また、接木苗の場合、台木と穂木の接合部から折れて苗が使えなくなることがある。
幼苗の自立支持具として、特許文献１に記載された保持具がある。これを図６に示す。この保持具５０は、茎収容部５２が発条形状になり支柱５１が一体となったものである。
【０００３】
この図６に記載された保持具５０では、茎を収容するための茎収容部５２の入口５３が幼苗の茎の太さより狭い隙間になっているので、支柱部５１を土に挿し込んだ後、図７に示すように幼苗の茎を狭い隙間の入口５３（図６参照）から押し入れるか、図８に示すように指で開いて幼苗を茎収容部５２にセットしなければならない。図７に示すように幼苗の茎を狭い隙間の入口５３から押し入れると、幼苗の茎を傷付けることがある。また、図８に示すように茎収容部５２の発条形状を指で摘み、もう一方の手で茎収容部５２後側の支柱５１の上部を摘んで茎収容部５２を開いて茎を茎収容部５２に入れなければならず、幼苗の茎を保持するのに手間がかかり作業性が悪い。
【０００４】
また、特許文献２には、図９に示すように、支柱４１又は支柱４１の取付け筒４２を垂直に備えた基部４３と、基部４３から前向きに突出し、苗の茎収容部４５を形成する水平な一対の湾曲アーム４４，４４とからなり、一対の湾曲アーム４４，４４の前端部は弾力性を有する狭い隙間の入口４６を保って対向したのち、前外向きに拡がった導入部４７を形成している幼苗の自立支持具４０が記載されている。類似のものとして、特許文献３に記載されたように、茎保持部と支柱が一体になっている自立支持具もある。
【０００５】
図９に示された自立支持具４０は、図１０，図１１に示すように、支柱４１の長さが一定であるので、苗Ｐの保持したい高さの位置に茎収容部４５を合わせると、支柱４１を土に挿し込む深さを調整しなければならず、苗Ｐを保持する位置によって支柱４１を土に挿し込む探さが制限される。
また、茎収容部４５に茎を収容するための入口４６が幼苗の茎の太さより狭い隙間になっているので、支柱４１を土に挿し込んだ後、図１０に示すように、茎収容部４５の後方を指で摘み、もう一方の指で苗の茎を摘み、両手で茎収容部４５に苗の茎を入れなければならない。
【０００６】
また、茎収容部４５はプラスチック製で、ある程度弾力性を有しているので、苗Ｐが生長し茎がある程度太くなった時、茎収容部４５は弾力許容範囲内迄広がるが、開放することはないので、茎収容部４５内に茎を保持したままだと茎収容部４５が茎に食い込んでいき茎を傷つけてしまうおそれがある。特許文献３に記載された自立支持具についても同様の問題がある。
【０００７】
このような問題点を解決するために、本願の考案者は先に、特許文献４において、苗の茎と支柱とを保持する作業の手間を著しく軽減でき、苗が成長して茎がある程度太くなっても茎を傷めることがなく、支柱との滑りがよいなど、作業性の向上と苗の保護を図ることのできる植物茎保持具を提案した。
【０００８】
その基本構成を図１３〜図１６に示す。
この植物茎保持具１は、植物の茎および支柱を一緒に保持する茎収容部４を形成する第１挟持片２および第２挟持片３を有しており、第１挟持片２と第２挟持片３とは、第１ヒンジ部Ｈ１により基端部どうしが開閉自在に結合されている。
【０００９】
第１ヒンジ部Ｈ１よりも外側には、本例では半円状の挟持片連結部５が設けられており、挟持片連結部５の一端は第１挟持片２の基端部近傍に第２ヒンジ部Ｈ２により連結され、他端は第２挟持片３の基端部近傍に第３ヒンジ部Ｈ３により連結されている。
【００１０】
第１ヒンジ部Ｈ１は、第１挟持片２と第２挟持片３が当該第１ヒンジ部Ｈ１を支点として開閉するときに、第２ヒンジ部Ｈ２と第３ヒンジ部Ｈ３とを結ぶ直線Ｌ（デッドポイント）を境にして（図１５参照）、全開時は茎収容部４側に（図１４参照：第１状態）、全閉時は挟持片連結部５側に（図１６参照：第２状態）移動するように形成されている。これらの第１状態と第２状態で、第１挟持片２と第２挟持片３は開いた状態、閉じた状態が安定的に保持される。
【００１１】
第１挟持片２と第２挟持片３の先端は円弧状に内側に曲がっており、全閉時に突き当たる係合部２ａと３ａを有し、第１挟持片２にはさらに、係合部２ａ，３ａを覆う張り出し部２ｂが形成されている。
【００１２】
この植物茎保持具１はポリエチレン、ポリプロピレン等の熱可塑性の弾性を有する合成樹脂でヒンジ部Ｈ１，Ｈ２，Ｈ３を含めて一体成形されており、屋外での紫外線に曝されても劣化しにくい耐候性を持たせている。
【００１３】
この植物茎保持具１を用いて支柱１０と苗Ｐの茎を保持するときは、図１７、図１８に示すように、第１挟持片２と第２挟持片３を指で軽くある程度押すだけで一体成形されている挟持片連結部５の弾性力で植物茎保持具１は閉じるので、苗Ｐの保持作業が大幅に改善される。
【００１４】
図１９に示すように、苗Ｐの生長によって茎が伸びていく時に、茎が伸びるのに合わせて支柱１０が通されている部分も支柱１０を滑り上がるようになっている。
【００１５】
この植物茎保持具１は、使用前には図１３，図１４に示すように茎と支柱１０を収容するための入口である第１挟持片２と第２挟持片３の先端部は大きく開いているので、支柱１０と茎の保持作業が簡単にできる。
【００１６】
茎保持部４は、支柱１０と茎を一緒に保持する長円形状（円や他形状でもよい）で構成されており、支柱と一体ではないので茎にとって一番適切に保持したらよい位置に留める作業が簡単になる。また、支柱部がなく、茎保持部４を開閉するための挟持片連結部５は第１挟持片２，第２挟持片３と一体でプラスチック成形されているのでコストも安いため、図２０に示すように、徒長した苗の茎等には複数ヶ所保持して、茎が曲がったり折れたりすることを防止することができる。
【００１７】
この植物茎保持具１は、茎収容部４内で茎が育ち太くなったときに、第１挟持片２と第２挟持片３が茎の太る内圧力で徐々に押し広げられ、約３０度前後に押し広げられて第１ヒンジ部Ｈ１が第２ヒンジ部Ｈ２と第３ヒンジ部Ｈ３を結ぶ直線Ｌを超えた時、挟持片連結部５の弾性力で茎を収容する入口が自動で開放するので、支柱１０と茎の留め替えや、移動が簡単にでき、良質の苗（折れ曲がっていない苗）を生産することに貢献できる。
【００１８】
図２１は、特許文献４に記載された他の実施例に係る植物茎保持具を示すものであり、植物茎保持具１の挟持片連結部５に支柱部６を連設したものを一体成形したものである。これにより、別に支柱を準備する必要がなく、幼苗が一定高さに生長するまでの茎保持具として使用することができる。
【先行技術文献】
【特許文献】
【００１９】
【特許文献１】意匠登録第１２５９７２６号公報
【特許文献２】特開２０００−３５４４２５号公報
【特許文献３】特開２０００−３２８５１号公報
【特許文献４】特開２０１３−２５５４５４号公報（特許第５１２７９９３号公報）
【考案の概要】
【考案が解決しようとする課題】
【００２０】
前掲の特許文献４に記載された植物茎保持具によれば、苗の茎と支柱とを保持する作業の手間を著しく軽減でき、苗が成長して茎がある程度太くなっても茎を傷めることがなく、支柱との滑りがよいなど、作業性の向上と苗の保護を図ることができるという効果を奏するが、開いた状態の第１挟持片２と第２挟持片３を閉じるときは親指と人差し指で第１挟持片２と第２挟持片３の背を押すことにより、ワンッタッチで閉じることができるものの、逆に、閉じた状態の第１挟持片２と第２挟持片３を手で開くときは、ワンタッチ動作では開くことができず、両指を使わなければならないなどの操作性に問題があった。
【００２１】
通常の栽培では、茎収容部４内で茎が育ち太くなったときに、第１挟持片２と第２挟持片３が茎の太る内圧力で徐々に押し広げられ、約３０度前後に押し広げられて第１ヒンジ部Ｈ１が第２ヒンジ部Ｈ２と第３ヒンジ部Ｈ３を結ぶ直線Ｌを超えた時、挟持片連結部５の弾性力で茎を収容する入口が自動で開放するので、操作性に問題はないが、出荷等で早めに茎保持具を苗の茎から外し、回収する場合に、第１挟持片２と第２挟持片３を開く動作が、片手では難しいという問題があった。
【００２２】
そこで本考案は、第１挟持片と第２挟持片を開く場合にも、苗の茎を傷めず片手で簡単に操作することのできる植物茎保持具を提供することを目的とする。
【課題を解決するための手段】
【００２３】
前記課題を解決するため、本考案の植物茎保持具は、
その間で植物の茎および支柱を保持する茎収容部を形成する第１挟持片および第２挟持片と、
前記第１挟持片と第２挟持片とを基端部において開閉自在に結合する第１ヒンジ部と、
前記第１ヒンジ部よりも外側に位置し、一端が前記第１挟持片の基端部近傍に第２ヒンジ部により連結され他端が前記第２挟持片の基端部近傍に第３ヒンジ部により連結される挟持片連結部とを備え、
前記第１ヒンジ部は、前記第１挟持片と第２挟持片が当該第１ヒンジ部を支点として開閉するときに、前記第２ヒンジ部と第３ヒンジ部とを結ぶ直線を境にして、全開時は前記茎収容部側に、全閉時は前記挟持片連結部側に移動するように形成されており、
前記第１挟持片および第２挟持片の外側に、前記第２ヒンジ部および第３ヒンジ部をそれぞれ支点として前記第１挟持片および第２挟持片を開くための開放摘みを連設したことを特徴とする。
【００２４】
この構成により、第１挟持片と第２挟持片を開いた全開時は第１ヒンジ部がデッドポイントから茎収容部側に位置する第１状態が保持され、この第１状態のまま植物の茎と支柱とを一緒に茎収容部に差し込み、第１挟持片と第２挟持片の先端を閉じることで第１ヒンジ部がデッドポイントから挟持片連結部側に位置する全閉の第２状態が保持される。
これにより、茎収容部内に茎と支柱を差し込む際に第１挟持片と第２挟持片を手で押し開く必要がなく、取り付け作業が容易になる。
【００２５】
また、苗が成長して茎が太くなったときは、第１挟持片と第２挟持片は自然に開き、一定以上の太さになったときは第１挟持片と第２挟持片が全開するので、自然に茎は植物茎保持具から開放される。
【００２６】
植物茎保持具を茎から外したり取り付け位置を移動したりするときは、開放摘みを二本の指で摘むことにより第２ヒンジ部および第３ヒンジ部を支点として第１挟持片と第２挟持片が開放するので、作業が楽である。
【００２７】
特に、中堅育苗生産業者では、春と夏の年２回のシーズンに野菜苗の生産が集中し、一シーズンに５０万本〜１５０万本の苗を育苗、生産管理し、良質な苗を生産者（農家）や一般家庭菜園向けに生産・出荷しなければならない。そのためには一つの作業であっても簡素化することで、大幅に省力化することができる。
【００２８】
前記第１挟持片と第２挟持片の先端部には、全閉時に前記第１挟持片と第２挟持片の先端部の係合部の外側を覆う所定長さの張り出し部を形成することにより、苗の生長によって茎が太くなり、第１挟持片と第２挟持片の先端部が多少開いても、茎が茎収容部から飛び出すことを防ぐことができる。
【００２９】
全体を、弾性を有する耐候性の熱可塑性合成樹脂で一体成形することにより、製造コストを抑えることができ、これを大量に使用する育苗業者や農家にとって、経済的負担が軽減される。
【００３０】
前記挟持片連結部に、土中に突き刺す支柱部の上部を連設した構成とすることにより、別に支柱を準備する必要がなく、幼苗が一定高さに生長するまでの茎保持具として使用することができる。
【考案の効果】
【００３１】
本考案によれば、苗の茎と支柱とを保持する作業の手間を著しく軽減でき、苗が成長して茎がある程度太くなっても茎を傷めることがなく、第１挟持片と第２挟持片を開く場合にも、苗の茎を傷めず片手で簡単に操作することができるなど、作業性の向上と苗の保護を図ることのできる植物茎保持具が得られる。
【図面の簡単な説明】
【００３２】
【図１】本発明の実施の形態１に係る植物茎保持具の斜視図である。
【図２】本発明の実施の形態２に係る植物茎保持具の斜視図である。
【図３】本発明の実施の形態２に係る植物茎保持具の使用状態を示す斜視図である。
【図４】本発明の実施の形態２に係る植物茎保持具の使用状態を示す斜視図である。
【図５】本発明の実施の形態２に係る植物茎保持具の使用状態を示す斜視図である。
【図６】特許文献１に記載された自立支持具を示す斜視図である。
【図７】図６に示した自立支持具の使用状態を示す斜視図である。
【図８】図６に示した自立支持具の使用状態を示す斜視図である。
【図９】特許文献２に記載された自立支持具の斜視図である。
【図１０】図９に示した自立支持具の使用状態を示す斜視図である。
【図１１】図９に示した自立支持具の使用状態を示す斜視図である。
【図１２】図９に示した自立支持具の使用状態を示す斜視図である。
【図１３】特許文献４に記載された植物茎保持具の斜視図である。
【図１４】図１３に示した植物茎保持具の開いた状態の平面図である。
【図１５】図１３に示した植物茎保持具のデッドポイント状態を示す平面図である。
【図１６】図１３に示した植物茎保持具の閉じた状態の平面図である。
【図１７】図１３に示した植物茎保持具の使用状態を示す斜視図である。
【図１８】図１３に示した植物茎保持具の使用状態を示す斜視図である。
【図１９】図１３に示した植物茎保持具の使用状態を示す斜視図である。
【図２０】図１３に示した植物茎保持具の使用状態を示す斜視図である。
【図２１】特許文献４に記載された支柱部付きの植物茎保持具の斜視図である。
【考案を実施するための形態】
【００３３】
以下、本考案の実施の形態を、図１〜図５を参照しながら具体的に説明する。
図１は本考案の実施の形態１に係る植物茎保持具を示すものである。
【００３４】
この実施の形態１の植物茎保持具１は、植物の茎および支柱を一緒に保持する茎収容部４を形成する第１挟持片２および第２挟持片３を有しており、第１挟持片２と第２挟持片３とは、第１ヒンジ部Ｈ１により基端部どうしが開閉自在に結合されている。
【００３５】
第１ヒンジ部Ｈ１よりも外側には、本例では半円状の挟持片連結部５が設けられており、挟持片連結部５の一端は第１挟持片２の基端部近傍に第２ヒンジ部Ｈ２により連結され、他端は第２挟持片３の基端部近傍に第３ヒンジ部Ｈ３により連結されている。
第１挟持片２および第２挟持片３の外側には、第２ヒンジ部Ｈ２および第３ヒンジ部Ｈ３をそれぞれ支点として第１挟持片２および第２挟持片３を開くための開放摘み７，８が連設されている。
【００３６】
第１ヒンジ部Ｈ１は、第１挟持片２と第２挟持片３が当該第１ヒンジ部Ｈ１を支点として開閉するときに、第２ヒンジ部Ｈ２と第３ヒンジ部Ｈ３とを結ぶ直線Ｌ（デッドポイント）を境にして（図１５参照）、全開時は茎収容部４側に（図１４参照：第１状態）、全閉時は挟持片連結部５側に（図１６参照：第２状態）移動するように形成されている。これらの第１状態と第２状態で、第１挟持片２と第２挟持片３は開いた状態、閉じた状態が安定的に保持される。
【００３７】
第１挟持片２と第２挟持片３の先端は円弧状に内側に曲がっており、全閉時に突き当たる係合部２ａと３ａを有し、第１挟持片２にはさらに、係合部２ａ，３ａを覆う張り出し部２ｂが形成されている。
【００３８】
この植物茎保持具１はポリエチレン、ポリプロピレン等の熱可塑性の弾性を有する合成樹脂でヒンジ部Ｈ１，Ｈ２，Ｈ３を含めて一体成形されており、屋外での紫外線に曝されても劣化しにくい耐候性を持たせている。
【００３９】
本考案の実施の形態１の使用方法は、図１７〜図２０に示した特許文献４に記載された植物茎保持具と同様であるので、説明を省略する。
【００４０】
本実施の形態１に係る植物茎保持具１を茎から外したり取り付け位置を移動したりするときは、開放摘み７，８を二本の指で摘むことにより第２ヒンジ部Ｈ２および第３ヒンジ部Ｈ３を支点として第１挟持片２と第２挟持片３が開放するので、片手で楽に作業ができる。
【００４１】
図２は、本考案の実施の形態２に係る植物茎保持具を示すものである。この実施の形態２は、実施の形態１の植物茎保持具１の挟持片連結部５の背部に、支柱部６の上部を一体に連設した構成となっている。これにより、別に支柱を準備する必要がなく、幼苗が一定高さに生長するまでの茎保持具として使用することができる。
【００４２】
この実施の形態２の使用例を図３〜図５に示す。まず、図２のように第１挟持片２と第２挟持片３を開いた状態で図３に示すように支柱部６を幼苗の近くの土中に突き刺し、茎収容部４内に幼苗の茎が入るようにして、指で第１挟持片２と第２挟持片３の外側を抑えこみ、第１挟持片２と第２挟持片３を閉じて茎収容部４内に幼苗の茎を収容する。これにより、図４に示すように幼苗の茎が茎保持具１によって包持された状態で、支柱部６により保持される。
【００４３】
本実施の形態２の植物茎保持具１は、実施の形態１と同様に、茎収容部４内で茎が育ち太くなったときに、第１挟持片２と第２挟持片３が茎の太る内圧力で徐々に押し広げられ、約３０度前後に押し広げられて第１ヒンジ部Ｈ１が第２ヒンジ部Ｈ２と第３ヒンジ部Ｈ３を結ぶ直線Ｌを超えた時、挟持片連結部５の弾性力で茎を収容する入口が自動で開放するので、支柱１０と茎の留め替えや、移動が簡単にでき、良質の苗（折れ曲がっていない苗）を生産することに貢献できる。
【００４４】
一方、出荷等で早めに植物茎保持具１を苗の茎から外し、回収する場合があるが、その場合は、図５に示すように、植物茎保持具１の開放摘み７，８を二本の指で摘むことにより第２ヒンジ部Ｈ２および第３ヒンジ部Ｈ３を支点として第１挟持片２と第２挟持片３が開放するので、片手で楽に作業ができる。
【産業上の利用可能性】
【００４５】
本考案は、苗の茎と支柱とを保持する作業の手間を著しく軽減でき、苗が成長して茎がある程度太くなっても茎を傷めることがなく、第１挟持片と第２挟持片を開く場合にも、苗の茎を傷めず片手で簡単に操作することができるなど、作業性の向上と苗の保護を図ることのできる植物茎保持具として、育苗業者、農家、一般家庭など、広い分野において利用することができる。
【符号の説明】
【００４６】
１  植物茎保持具
２  第１挟持片
２ａ  係合部
２ｂ  張り出し部
３  第２挟持片
３ａ  係合部
４  茎収容部
５  挟持片連結部
６  支柱部
７，８  開放摘み
Ｈ１  第１ヒンジ部
Ｈ２  第２ヒンジ部
Ｈ３  第３ヒンジ部
【図１】
0003190661.tif 000003
【図２】
0003190661.tif 000004
【図３】
0003190661.tif 000005
【図４】
0003190661.tif 000006
【図５】
0003190661.tif 000007
【図６】
0003190661.tif 000008
【図７】
0003190661.tif 000009
【図８】
0003190661.tif 000010
【図９】
0003190661.tif 000011
【図１０】
0003190661.tif 000012
【図１１】
0003190661.tif 000013
【図１２】
0003190661.tif 000014
【図１３】
0003190661.tif 000015
【図１４】
0003190661.tif 000016
【図１５】
0003190661.tif 000017
【図１６】
0003190661.tif 000018
【図１７】
0003190661.tif 000019
【図１８】
0003190661.tif 000020
【図１９】
0003190661.tif 000021
【図２０】
0003190661.tif 000022
【図２１】
0003190661.tif 000023